(57)【要約】【課題】測定精度および安定性を改善できるねじ接続形流量計を提供する。【解決手段】接続用の管用ねじを有する流量計本体と、前記接続用の管用ねじにねじ接続される隣接管とを具備するねじ接続形流量計において、前記流量計本体と前記隣接管との接続部分の内径部分に生ずる隙間を覆って設けられた管状のスリーブと、このスリーブの両端側の内径部分に設けられたテーパ部とを具備したことを特徴とするねじ接続形流量計である。【選択図】　　　　図１
2004138567.tif 000002
【特許請求の範囲】
【請求項１】
接続用の管用ねじを有する流量計本体と、
前記接続用の管用ねじにねじ接続される隣接管と
を具備するねじ接続形流量計において、
前記流量計本体と前記隣接管との接続部分の内径部分に生ずる隙間を覆って設けられた管状のスリーブと、
このスリーブの両端側の内径部分に設けられたテーパ部と
を具備したことを特徴とするねじ接続形流量計。
【請求項２】
前記スリーブとして、弾性材よりなり半径方向の弾性力により前記流量計本体と前記隣接管とに係止されること
を特徴とする請求項１記載のねじ接続形流量計。
【請求項３】
前記スリーブの前記流量計本体の管軸方向に設けられたスリット
を具備したことを特徴とする請求項１又は請求項２記載のねじ接続形流量計。
【請求項４】
前記スリーブに設けられ前記スリーブの側面を貫通する貫通穴
を具備したことを特徴とする請求項１乃至請求項３の何れかに記載のねじ接続形流量計。
【請求項５】
前記スリーブの前記隣接管への取付け側の端部に設けられた鍔部
を具備したことを特徴とする請求項１乃至請求項４の何れかに記載のねじ接続形流量計。
【請求項６】
前記テーパ部として、断面が緩やかな曲線状であること
を特徴とする請求項１乃至請求項５の何れかに記載のねじ接続形流量計。
【発明の詳細な説明】
【０００１】
【発明の属する技術分野】
本発明は、測定精度および安定性を改善できるねじ接続形流量計に関するものである。
【０００２】
【従来の技術】
図７は、従来より一般に使用されている従来例の構成説明図、図８は図７の組立図である（例えば、特許文献１参照。）。
図において、１は接続用の管用おねじ２を有する流量計本体である。
【０００３】
３は、図８に示す如く、接続用の管用おねじ２に、ソケット４を介してねじ接続される隣接管である。
５は流量計本体１と隣接管３との接続部分の内径部分に生ずる隙間である。
【０００４】
図９は、従来より一般に使用されている他の従来例の構成説明図、図１０は図９の組立図である（例えば、非特許文献１参照。）。
図において、１１は接続用の管用めねじ１２を有する流量計本体である。
【０００５】
１３は、図１０に示す如く、接続用の管用めねじ１２にねじ接続される隣接管である。
１４は流量計本体１１と隣接管１３との接続部分の内径部分に生ずる隙間である。
【０００６】
【特許文献１】
特開平６−１７４５１０号（第２−４頁、図１）
【非特許文献１】
ＳＭＣ株式会社　製品カタログ「デジタルフロースイッチ　ＰＦＡ−ＰＦＷ　Ｓｅｒｉｅｓ」　２０００年版　ｐ４
【０００７】
【発明が解決しようとする課題】
管用ねじ２，１２を用いた流量計１，１１と隣接管３，１３との接続は、フランジが不要で、低コストなのと、センタズレが少ないので、広く、特に小口径で、用いられている。
【０００８】
しかしながら、このような装置においては、以下の間題点がある。
従来のねじ接続流量計では、図８，図１０に示すように、流量計本体１，１１と隣接管３，１３の接続部に隙間５，１４ができ、この部分で流れの乱れが発生しやすい。
【０００９】
この隙間５，１４は、ねじの加工上の不完全ねじ部や、管用テーパーねじの場合の嵌合長さのばらつきで、どうしてもできてしまうものである。
この隙間部５，１４での流れの乱れは、流量計本体１，１１の測定部へも影響し、測定精度や安定性に影響を与えることがある。
【００１０】
特に流速分布の影響を受けやすい渦流量計や差圧流量計、超音波流量計などで影響を受けやすい。
【００１１】
本発明の目的は、上記の課題を解決するもので、ねじ接続形流量計の隣接管との接続において、流れの乱れを少なくし、測定精度および安定性を改善できるねじ接続形流量計を提供することにある。
【００１２】
【課題を解決するための手段】
このような目的を達成するために、本発明では、請求項１記載のねじ接続形流量計においては、
接続用の管用ねじを有する流量計本体と、前記接続用の管用ねじにねじ接続される隣接管とを具備するねじ接続形流量計において、
前記流量計本体と前記隣接管との接続部分の内径部分に生ずる隙間を覆って設けられた管状のスリーブと、このスリーブの両端側の内径部分に設けられたテーパ部とを具備したことを特徴とする。
【００１３】
本発明の請求項２においては、請求項１記載のねじ接続形流量計において、
前記スリーブとして、弾性材よりなり半径方向の弾性力により前記流量計本体と前記隣接管とに係止されることを特徴とする。
【００１４】
本発明の請求項３においては、請求項１又は請求項２記載のねじ接続形流量計において、
前記スリーブの前記流量計本体の管軸方向に設けられたスリットを具備したことを特徴とする。
【００１５】
本発明の請求項４においては、請求項１乃至請求項３の何れかに記載のねじ接続形流量計において、
前記スリーブに設けられ前記スリーブの側面を貫通する貫通穴を具備したことを特徴とする。
【００１６】
本発明の請求項５においては、請求項１乃至請求項４の何れかに記載のねじ接続形流量計において、
前記スリーブの前記隣接管への取付け側の端部に設けられた鍔部を具備したことを特徴とする。
【００１７】
本発明の請求項６においては、請求項１乃至請求項５の何れかに記載のねじ接続形流量計において、
前記テーパ部として、断面が緩やかな曲線状であることを特徴とする。
【００１８】
【発明の実施の形態】
以下図面を用いて本発明を詳しく説明する。
図１は本発明の一実施例の要部構成説明図、図２，図３は部品説明図、図４、図５，図６は図１の動作説明図である。
図において、図８，図１０と同一記号の構成は同一機能を表す。
以下、図８，図１０と相違部分のみ説明する。
【００１９】
２１は、流量計本体１と隣接管３との接続部分の内径部分に生ずる隙間５を覆って設けられた管状のスリーブである。
この場合は、スリーブ２１として、弾性材よりなり半径方向の弾性力により流量計本体１と隣接管３とに係止されている。
【００２０】
スリーブ２１の肉厚は、測定流体の流れを乱さぬようきわめて薄くされ、接続部分の隙間５をなくし、測定流体の流れの乱れの発生を防ぐ。
２２は、このスリーブ２１の両端側の内径部分に設けられたテーパ部である。
この場合は、テーパ部２２として、断面が緩やかな曲線状をなしている。
【００２１】
２３は、スリーブ２１の流量計本体１の管軸方向に設けられたスリットである。
２４は、スリーブ２１に設けられ、スリーブ２１の側面を貫通する貫通穴である。
２５は、スリーブ２１の隣接管３への取付け側の端部に設けられた鍔部である。
【００２２】
以上の構成において、流量計本体１のねじ接続部２に図２，図３に示すようなスリーブ２１を挿入させる。
また、鍔部２５は、隣接管３に接触し、摺動するようになっている。
【００２３】
このため、図４に示す如く、最初は長めにスリーブ２１を流量計本体１から出した状態で取付け、次に、隣接管３を流量計本体１に接続する。
ねじを締めていく際に、鍔部２５が隣接管３に押され、隙間５の幅に応じスリーブ２１がスライドする。
【００２４】
スリーブ２１の自然状態での外径は、管路の内径よりやや大きめにできており、半径方向に圧縮可能なようにスリット２３が形成されている。
このため、スリーブ２１の半径方向の弾性により、測定流体の摩擦力によって、スリーブ２１が下流にずれるようなことはない。
【００２５】
また、スリット２３、あるいは貫通穴２４があることから、スリーブ２１の内外での圧力は等しくなり、測定流体圧によりスリーブ２１が変形することもない。
【００２６】
この結果、本発明により、流量計のねじ接続部分における測定流体の流れの乱れを押さえることができ、流量測定の安定性及び精度を改善できるのねじ接続形流量計が得られる。
【００２７】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００２８】
【発明の効果】
以上説明したように、本発明の請求項１によれば、次のような効果がある。
流量計本体と隣接管との接続部分の内径部分に生ずる隙間を覆って設けられた管状のスリーブと、このスリーブの両端側の内径部分に設けられたテーパ部とが設けられた。
従って、測定精度および安定性を改善できるねじ接続形流量計が得られる。
【００２９】
本発明の請求項２によれば、次のような効果がある。
前記スリーブとして、弾性材よりなり半径方向の弾性力により流量計本体と隣接管とに係止されるので、スリーブの半径方向の弾性により、測定流体の摩擦力によって、スリーブが下流にずれるようなことはないねじ接続形流量計が得られる。
【００３０】
本発明の請求項３によれば、次のような効果がある。
スリーブの流量計本体の管軸方向に設けられたスリットを有するので、スリーブは半径方向に圧縮可能であり、組立ての容易なねじ接続形流量計が得られる。
【００３１】
本発明の請求項４によれば、次のような効果がある。
前記スリーブに設けられ前記スリーブの側面を貫通する貫通穴が設けられたので、スリーブの内外での圧力は等しくなり、測定流体圧によりスリーブが変形することがないねじ接続形流量計が得られる。
【００３２】
本発明の請求項５によれば、次のような効果がある。
スリーブの隣接管への取付け側の端部に設けられた鍔部を有するので、流量計本体へ隣接管を取り付けると同時に、スリーブを取り付けることが出来、スリーブの取付けが容易であり、且つ、確実に取付けられると共に、スリーブが下流にずれることを確実に防止できるねじ接続形流量計が得られる。
【００３３】
本発明の請求項６によれば、次のような効果がある。
前記テーパ部として、断面が緩やかな曲線状であるので、測定流体の流れを乱すことなく、測定精度および安定性を改善できるねじ接続形流量計が得られる。
【００３４】
従って、本発明によれば、測定精度および安定性を改善できるねじ接続形流量計を実現することが出来る。
【図面の簡単な説明】
【図１】本発明の一実施例の要部構成説明図である。
【図２】図１の部品説明図である。
【図３】図１の部品説明図である。
【図４】図１の動作説明図である。
【図５】図１の動作説明図である。
【図６】図１の動作説明図である。
【図７】従来より一般に使用されている従来例の要部構成説明図である。
【図８】図７の組立図である。
【図９】従来より一般に使用されている従来例の要部構成説明図である。
【図１０】図９の組立図である。
【符号の説明】
１　　　流量計本体
２　　　管用おねじ
３　　　隣接管
４　　　ソケット
５　　　隙間
１１　　流量計本体
１２　　管用めねじ
１３　　隣接管
１４　　隙間
２１　　スリーブ
２２　　テーパ部
２３　　スリット
２４　　貫通穴
２５　　鍔部
ＦＬ　　測定流体
【図１】
2004138567.tif 000003
【図２】
2004138567.tif 000004
【図３】
2004138567.tif 000005
【図４】
2004138567.tif 000006
【図５】
2004138567.tif 000007
【図６】
2004138567.tif 000008
【図７】
2004138567.tif 000009
【図８】
2004138567.tif 000010
【図９】
2004138567.tif 000011
【図１０】
2004138567.tif 000012